(57)【要約】【課題】運搬した資材の最下位に敷かれているパレットをその場で直ぐに回収することを可能とする方法を提供すること。【解決手段】資材４を２段パレット３の小パレット１上に、該資材４の両端部４ａを該小パレット１の両側の縁部１ａからはみ出して載置し、資材４、小パレット１及び大パレット２を結束具５により互いに固定し、運搬車６の荷台６ａに積載して運搬し、資材４、小パレット１及び大パレット２の固定を解き、小パレット１を、その上に載置している資材４と共に、大パレット２から取り外し、小パレット１の縁部１ａからはみ出ている資材４の両端部位に対応し、且つ、その間に小パレット１の落脱スペースを確保するように設置された複数の敷材７上に、資材４の両端部４ａを載置し、敷材７の間に落脱された小パレット１及び大パレット２を回収する資材運搬パレット回収方法。【選択図】　　　図２
2004075266.tif 000002
【特許請求の範囲】
【請求項１】
運搬する資材の両端部を両側の縁部からはみ出して載置することが可能な略矩形状の小パレットと、該小パレットを載置するパレットであって該小パレットより広大な略矩形状をした大パレットとを具備する２段パレットの資材運搬パレット回収方法であって、
前記資材を前記２段パレットの前記小パレット上に、該資材の両端部を該小パレットの両側の縁部からはみ出して、載置する資材載置工程と、
前記資材、前記小パレット及び前記大パレットを固定具により互いに固定し、運搬車の荷台に積載して運搬する資材運搬工程と、
運搬先で、前記固定具による前記資材、前記小パレット及び前記大パレットの固定を解く固定解除工程と、
前記小パレットを、その上に載置している資材と共に、前記大パレットから取り外す小パレット取り外し工程と、
前記小パレットの前記縁部からはみ出ている資材の両端部位に対応し、且つ、その間に前記小パレットの落脱スペースを確保するように設置された複数の敷材上に、前記資材の前記両端部を載置する小パレット落脱工程と、
前記敷材の間に落脱された小パレット及び空になった大パレットを回収するパレット回収工程と、を備えたことを特徴とする資材運搬パレット回収方法。
【請求項２】
前記大パレットに載置される前記小パレットは複数であり、前記資材運搬工程の後、前記固定解除工程の前に、前記２段パレットを、その上に載置された資材と共に、前記荷台から降ろす荷降ろし工程を備えたことを特徴とする請求項１記載の資材運搬パレット回収方法。
【請求項３】
前記固定具は、前記資材、前記小パレット及び前記大パレットを１つに結束する結束具であることを特徴とする請求項１又は２記載の資材運搬パレット回収方法。
【発明の詳細な説明】
【０００１】
【発明の属する技術分野】
本発明は、運搬された資材の最下位に敷かれたパレットを回収する方法に関する。
【０００２】
【従来の技術】
住宅等に使用されるパネル材等の資材を貨物トラック等の運搬車で資材工場等から資材を使用する建築現場、建材工場等へ運搬する場合、資材の損傷防止や荷役作業の効率化のために、通常、資材の下に緩衝材を介してパレットが敷かれる。そして、パレットが敷かれた資材が運搬車により、建築現場や建材工場等の運搬先へ搬入されると、フォークリフトやクレーンによって、パレットごと運搬車の荷台から所定場所に降ろされ、パレット上に積み重ねられた資材が上から順に使用され、全ての資材が使われてなくなった段階で、残ったパレットが再び運搬車で前記資材工場等へ返却される。
【０００３】
【発明が解決しようとする課題】
ところが、パレットの上に多数の資材が積み重ねられている場合には、資材を搬入して直ぐに資材を使い切ることができないため、資材搬入者は、パレットを回収するために、後日再びその場所を訪れる必要があった。
【０００４】
本発明は、かかる課題に鑑みてなされたものであり、運搬した資材の最下位に敷かれているパレットをその場で直ぐに回収することを可能とする手段を提供することを目的とする。
【０００５】
【課題を解決するための手段】
上記目的を達成するために、請求項１記載の資材運搬パレット回収方法は、運搬する資材の両端部を両側の縁部からはみ出して載置することが可能な略矩形状の小パレットと、該小パレットを載置するパレットであって該小パレットより広大な略矩形状をした大パレットとを具備する２段パレットの資材運搬パレット回収方法であって、前記資材を前記２段パレットの前記小パレット上に、該資材の両端部を該小パレットの両側の縁部からはみ出して、載置する資材載置工程と、前記資材、前記小パレット及び前記大パレットを固定具により互いに固定し、運搬車の荷台に積載して運搬する資材運搬工程と、運搬先で、前記固定具による前記資材、前記小パレット及び前記大パレットの固定を解く固定解除工程と、前記小パレットを、その上に載置している資材と共に、前記大パレットから取り外す小パレット取り外し工程と、前記小パレットの前記縁部からはみ出ている資材の両端部位に対応し、且つ、その間に前記小パレットの落脱スペースを確保するように設置された複数の敷材上に、前記資材の前記両端部を載置する小パレット落脱工程と、前記敷材の間に落脱された小パレット及び空になった大パレットを回収するパレット回収工程と、を備えたことを特徴としている。
【０００６】
請求項２記載の資材運搬パレット回収方法は、前記大パレットに載置される前記小パレットは複数であり、前記資材運搬工程の後、前記固定解除工程の前に、前記２段パレットを、その上に載置された資材と共に、前記荷台から降ろす荷降ろし工程を備えたことを特徴としている。
【０００７】
請求項３記載の資材運搬パレット回収方法は、前記固定具は、前記資材、前記小パレット及び前記大パレットを１つに結束する結束具であることを特徴としている。
【０００８】
【発明の実施の形態】
以下、本発明の実施の形態に係る資材運搬パレット回収方法について図面に基づき説明する。図１及び図２に示すように、この資材運搬パレット回収方法は、３枚の小パレット１と、これら小パレット１を載置する１枚の大パレット２とからなる２段パレット３を用いた資材運搬パレット回収方法であって、資材４を小パレット１上に、該資材４の両端部４ａを該小パレット１の両側の縁部１ａからはみ出して、載置する資材載置工程と、載置された資材４、小パレット１及び大パレット２をベルト、ロープ等の結束具５により互いに固定し、運搬車６の荷台６ａに積載して運搬する資材運搬工程と、運搬先で、２段パレット３を、載置された資材４と共に、前記荷台６ａから降ろす荷降ろし工程と、前記結束具５による資材４、小パレット１及び大パレット２の固定を解く固定解除工程と、前記結束具５による固定が解かれた小パレット１を、該小パレット１上に載置している資材４と共に、前記大パレット２から取り外す小パレット取り外し工程と、前記小パレット１の落脱スペースＳを確保するように相互に所定間隔をあけて設置された２つの敷材７に資材４の両端部４ａを載置して最下位にある小パレットを落脱させる小パレット落脱工程と、２つの敷材７の間に落脱された小パレット１及び空になった大パレット２を回収するパレット回収工程と、を備える。以下、更に詳細に説明する。
【０００９】
図３に示すように、前記大パレット２と前記小パレット１は、リップ溝型鋼、角型鋼管等の鋼材を用いて略矩形の枠体に製缶形成されている。小パレット１は、運搬する資材の何れかの方向の両端部４ａを、その両側の縁部１ａから、少なくとも前記敷材７の幅以上、はみ出して載置することが可能なサイズに形成されている。また、各小パレット１の四隅部には、図１の断面図に示すように、クレーン９の下端に設けられた略Ｚ字状に屈曲された吊具８を掛合するための掛合孔１０が穿設されており、小パレット１は、これら４隅部をクレーン９に吊すことにより、水平状態を維持したまま昇降させることができるようになっている。
【００１０】
前記大パレット２は、同じく図３に示すように、３つの前記小パレット１を一列に並べて載置することができる程度に、小パレットより広大な矩形状をしている。また、大パレット２には、各小パレット１が運搬時の振動や揺動により、水平方向にスライドして該大パレット２から脱落しないように、その長手方向の両側部に各小パレット１を係止する小片プレート１１が所定間隔をおいて上方へ向けて突設されている。更に、小パレット１が大パレットの長手方向へスライドするのを所定範囲で係止する係止部材１２が前記長手方向に対して直交する方向へ架設されている。更にまた、小パレット１と同様に、前記掛合孔１０が４隅部及びその内方４箇所に設けられており、該大パレット２もクレーン９を用いて水平状態を維持したまま昇降させることができるようになっている。
【００１１】
以下、前記２段パレット３を使用して資材４を運搬し、運搬先から２段パレット３を回収するまでの工程を詳細に説明する。
【００１２】
まず、図１（ａ）及び図４に示すように、資材載置工程として、資材４の下面を保護するために小パレット１の上面を緩衝材１３で覆設し、資材４の両側部が小パレット１の両側の縁部１ａから同程度はみ出るように、資材４の重心を小パレット１のほぼ中央にして載置する。資材４の両側部が小パレット１の縁部１ａより大きくはみ出る場合は、図４（ａ）に示すように、中央に配置された小パレット１に、その両隣に載置された資材４の一端を載置する。一方、資材４が比較的小さい場合は、図４（ｂ）に示すように、各小パレット１上に、それぞれ資材４の両端部が小パレット１の両側の縁部１ａからはみ出すように載置する。
【００１３】
次に、図１（ｂ）に示すように、資材運搬工程として、運搬時に資材４が小パレット１及び大パレット２から脱落しないように、資材４、小パレット１及び大パレット２を結束具５、例えばロープ、ベルトなど、により１つに結束してこれらを相互に固定する。そして、結束した資材４、小パレット１及び大パレット２を運搬車６の荷台６ａに積載し、搬送先まで運搬する。ここで、小パレット１は、資材４より狭小であるために、それ自体では、運搬時の揺れ、振動等により不安定になりがちであるものの、これより格段に広大な形状サイズをした大パレット２に固定されているために、その上に載置された資材４が荷台６ｂ上で揺動等することはない。
【００１４】
運搬車６によって、運搬先へ資材４が搬入されると、図１（ｃ）に示すように、荷降ろし工程として、クレーン９により、載置された資材４と共に２段パレット３が荷台６ａから降ろされる。
【００１５】
次いで、固定解除工程として、大パレット２、小パレット１及び資材４を結束している結束具５による固定を解き、小パレット取り外し工程として、図１（ｄ）に示すように、クレーン９により、該小パレット１を、その上に載置している資材４と共に、前記大パレット２から吊り上げて取り外す。
【００１６】
そして、図２（ｅ）に示すように、小パレット１の縁部１ａからはみ出ている資材４の両端部位に夫々対応し、且つ、その間に該小パレット１の落脱スペースを確保するように、上面を緩衝材１３で覆った２本の敷材７を予め設置しておき、小パレット落脱工程として、資材４の両端部４ａをこれら敷材７上に載置し、更にクレーン９を降下させて、敷材７の間に小パレット１を落脱させる。なお、前記小パレット１の落脱スペースは、前記敷材７として、小パレット１の厚さより厚いものが使用されることにより確保されている。
【００１７】
最後に、クレーン９の吊具８を小パレット１から取り外して、パレット回収工程として、図２（ｆ）に示すように、敷材７の間に落脱された小パレット１を回収し、空になった大パレット２上に戻し置き、３つの小パレットが大パレット２上に回収された段階で、再び、３つの小パレット３が載置された大パレット２をクレーン９により運搬車６に積載して、元の資材搬出場所等へ持ち帰る。
【００１８】
以上説明した資材運搬パレット回収方法によれば、資材４の最下位に敷かれて運搬された２段パレット３は、運搬先へ資材４を搬入した後、直ぐにその場で回収して持ち帰ることができる。この結果、資材４を搬入した後、日を改めて再びパレットのみを回収する必要がなくなり、パレットを用いた資材運搬作業のコストの低減が図られる。
【００１９】
なお、本実施の形態においては、大パレット２に載置される小パレット１は、３枚とされているが、数量はこれに限定されず、大パレット２に載置される小パレット１を１枚又はその他の複数枚としてもよい。また、小パレット１、大パレット２として、リップ溝型鋼や角型鋼管等により略矩形に形成された枠組みが使用されているが、パレット１、２を構成する部材、材質、構造はこれらに限定されない。つまり、小パレット１は、資材４の両端部４ａをはみ出して載置することが可能な略矩形状、大パレット２は、載置する小パレットの大きさ及び枚数に対応したサイズ形状のものであればよく、従って、小パレット１、大パレット２は、例えば、木製、樹脂製のものや、一体成型されたもの、面材等からなるものであってもよい。
【００２０】
更にまた、前記資材４、小パレット１及び大パレット２の相互の固定は、簡便に行えるように、結束具５によって行われているが、固定具はこれに限定されない。つまり、資材４及び小パレット１が運搬時に安定するように、広大な矩形状をした大パレット２に固定されればよく、例えば、資材４と小パレット１、小パレット１と大パレット２を、ボルトや特殊な金具等により相互に固定してもよい。
【００２１】
【発明の効果】
請求項１記載の資材運搬パレット回収方法によれば、運搬した資材の最下位に敷かれた２段パレットを、搬送先へ搬入後、直ちに回収して持ち帰ることができるので、従来のように、資材を搬入した後、日を改めて再度パレットを回収する必要がなくなり、パレットを用いた資材運搬作業の時間及びコストの低減が図られる。
【００２２】
請求項２記載の資材運搬パレット回収方法によれば、複数の小パレットを利用して資材を運搬する場合に、大パレットごと複数の小パレットを運搬車の荷台から揚げ下ろしすることができるので、荷役作業の効率化が図られる。
【００２３】
請求項３記載の資材運搬パレット回収方法によれば、前記資材、前記小パレット及び前記大パレットを互いに固定する固定具が前記資材、前記小パレット及び前記大パレットを１つに結束する結束具により行われるので、これらの固定を１度にまとめて簡便に行うことができる。
【図面の簡単な説明】
【図１】本発明の実施の形態に係る資材運搬パレット回収方法の各工程の流れを示した説明図である。
【図２】本発明の実施の形態に係る資材運搬パレット回収方法の各工程の流れを示した説明図である。
【図３】小パレット及び大パレットを示した斜視図である。
【図４】２段パレット（小パレット及び大パレット）に資材が載置された状態を示した図である。
【符号の説明】
１　小パレット
２　大パレット
３　２段パレット
４　資材
４ａ　資材の端部
５　結束具（固定具）
６　運搬車
７　敷材
Ｓ　落脱スペース
【図１】
2004075266.tif 000003
【図２】
2004075266.tif 000004
【図３】
2004075266.tif 000005
【図４】
2004075266.tif 000006